(57)【特許請求の範囲】
【請求項１】
長方形状の複数の絶縁体層が積層されて構成されている積層体と、
前記積層体に内蔵されているコイルであって、第１のコイル軸を有し、かつ、該第１のコイル軸の周囲を所定方向に旋廻しながら第１の方向に進行している第１のコイルと、
前記第１のコイルと接続されていると共に、前記積層体に内蔵されているコイルであって、第２のコイル軸を有し、かつ、該第２のコイル軸の周囲を前記所定方向に旋廻しながら前記第１の方向に対して反対方向である第２の方向に進行している第２のコイルと、
を備え、
前記第１の方向から平面視したときに、前記第１のコイル軸は、前記第２のコイルの内部に位置し、
前記第２の方向から平面視したときに、前記第２のコイル軸は、前記第１のコイルの内部に位置し、
前記第１のコイルは、前記絶縁体層上に設けられている複数の第１のコイル電極が第１のビアホール導体により接続されることにより構成されており、
前記第２のコイルは、前記絶縁体層上に設けられている複数の第２のコイル電極が第２のビアホール導体により接続されることにより構成されており、
前記第１のコイル電極及び前記第２のコイル電極は、互いに異なる前記絶縁体層上に設けられており、
前記第１のコイル電極及び前記第２のコイル電極は、前記絶縁体層の２以上の辺に沿う第１の直線部分と、該絶縁体層の角において、該２つの第１の直線部分に対して斜めに交差することにより該第１の直線部分を接続する第２の直線部分を含み、
前記第１のコイル電極を接続する前記第１のビアホール導体は、前記第２のコイル電極の前記第２の直線部分と前記絶縁体層の角とに囲まれた領域に設けられており、
前記第２のコイル電極を接続する前記第２のビアホール導体は、第１のコイル電極の前記第２の直線部分と前記絶縁体層の角とに囲まれた領域に設けられていること、
を特徴とする電子部品。
【請求項２】
前記第１のコイル電極と前記第２のコイル電極とは、積層方向に交互に並んでいること、
を特徴とする請求項１に記載の電子部品。
【請求項３】
前記第２の方向側に位置している前記積層体の表面に設けられている外部電極であって、前記第１のコイルの一方の端部と接続されている第１の外部電極と、
前記第２の方向側に位置している前記積層体の表面に設けられている外部電極であって、前記第２のコイルの一方の端部と接続されている第２の外部電極と、
を更に備え、
前記第１のコイルの前記第１の方向側に位置する他方の端部と前記第２のコイルの該第１の方向側に位置する他方の端部とは、接続されていること、
を特徴とする請求項１又は請求項２のいずれかに記載の電子部品。
【請求項４】
前記第１の外部電極と前記第２の外部電極との間に電流が流れた場合に、積層方向から平面視したときに、前記第１のコイルを流れる電流の方向と、前記第２のコイルを流れる電流の方向とは、一致していること、
を特徴とする請求項１ないし請求項３のいずれかに記載の電子部品。
【請求項５】
前記第１のコイル軸の位置と前記第２のコイル軸の位置とは、一致していること、
を特徴とする請求項１ないし請求項４のいずれかに記載の電子部品。
【発明の詳細な説明】
【技術分野】
【０００１】
本発明は、電子部品に関し、より特定的には、コイルを内蔵している電子部品に関する。
【背景技術】
【０００２】
従来の電子部品としては、例えば、特許文献１に記載の積層型コイル部品が知られている。該積層型コイル部品では、複数の絶縁性グリーンシートが積層されて直方体状の積層体を構成している。前記複数の絶縁性グリーンシートには、コイル用導体が設けられている。該コイル用導体は、ビアホールにより互いに接続されることにより、螺旋状のコイルを構成している。また、積層体の２つの側面を覆うように２つの端子電極が設けられており、該２つの端子電極の間には、該螺旋状のコイルが接続されている。
【０００３】
ところで、特許文献１に記載の積層型コイル部品では、端子電極は、積層体の側面を覆うように設けられているので、積層方向に垂直な方向において各コイル用導体と近接して並んでしまう。そのため、コイル用導体と端子電極との間に浮遊容量が発生してしまう。浮遊容量が発生すると、コイルの共振周波数が低下し、コイルを使用する周波数において、Ｑ値が低下するという問題がある。故に、積層型コイル部品において、浮遊容量の発生は、コイルを内蔵している電子部品のＱ値を低下させる原因となる。
【０００４】
前記のような浮遊容量の発生を抑制することができる電子部品としては、例えば、図７に示すＬＧＡ（Ｌａｎｄ  Ｇｒｉｄ  Ａｒｒａｙ）構造を有する電子部品５００が挙げられる。図７は、電子部品５００の分解斜視図である。以下、電子部品５００の積層方向をｚ軸方向と定義し、電子部品５００の長辺に沿った方向をｘ軸方向と定義し、電子部品５００の短辺に沿った方向をｙ軸方向と定義する。ｘ軸、ｙ軸及びｚ軸は互いに直交している。
【０００５】
電子部品５００は、積層体５０２、外部電極５０６ａ，５０６ｂ及びコイルＬ５０１，Ｌ５０２を備えている。積層体５０２は、長方形状の絶縁体層５０４ａ〜５０４ｉが積層されることにより構成されている。コイルＬ５０１は、絶縁体層５０４ｄ〜５０４ｈ上に設けられたコイル電極５０８ａ〜５０８ｅがビアホール導体Ｂにより接続されることにより構成されている。また、コイルＬ５０２は、絶縁体層５０４ｄ〜５０４ｈ上に設けられたコイル電極５１０ａ〜５１０ｅがビアホール導体Ｂにより接続されることにより構成されている。また、コイルＬ５０１とコイルＬ５０２とは、コイル電極５０８ａとコイル電極５１０ａとが接続されることにより、接続されている。
【０００６】
また、外部電極５０６ａ，５０６ｂはそれぞれ、積層体５０２のｚ軸方向の負方向側の面に形成されており、コイル電極５０８ｅ，５１０ｅとビアホール導体Ｂを介して接続されている。以上のような構成を有する電子部品５００では、外部電極５０６ａ，５０６ｂは、積層体５０２のｚ軸方向の負方向側の面に設けられているので、コイル電極５０８ａ〜５０８ｄ，５１０ａ〜５１０ｄと近接して並ぶことがない。故に、外部電極５０６ａ，５０６ｂとコイル電極５０８ａ〜５０８ｄ，５１０ａ〜５１０ｄとの間に浮遊容量が発生することにより、電子部品５００のＱ値が低下することが抑制される。
【０００７】
しかしながら、図７に示す電子部品５００は、高いＱ値を得ることが困難であるという問題を有している。より詳細には、電子部品５００では、コイル電極５０８，５１０は、同じ絶縁体層５０４上に１つずつ並ぶように設けられている。そのため、電子部品５００では、絶縁体層に一つのコイル電極が設けられている場合に比べて、コイル電極５０８，５１０の内径が小さくなってしまう。このように、コイル電極５０８，５１０の内径が小さくなると、コイル電極５０８，５１０内を通過する磁束の数が少なくなり、コイルＬ５０１，Ｌ５０２のインダクタンス値は、低下してしまう。このため、所望のインダクタンス値を得るためには、コイル電極５０８，５１０の長さを長くする必要があるが、コイル電極５０８，５１０の長さが長くなると、抵抗値が大きくなり、Ｑ値が低下する。
【０００８】
なお、図７に示すように、２つのコイルが平行に配置されている電子部品としては、例えば、特許文献２に記載の積層インダクタが知られている。しかしながら、該積層インダクタでは、２つのコイルが平行に配置されているので、図７に示す電子部品５００と同じ問題を有している。更に、該積層インダクタは、外部電極が積層体の側面に形成されているので、浮遊容量の増加によるＱ値の低下の問題も有している。
【先行技術文献】
【特許文献】
【０００９】
【特許文献１】特開平１０−２７０２４９号公報
【特許文献２】特開平９−６３８４８号公報
【発明の概要】
【発明が解決しようとする課題】
【００１０】
そこで、本発明の目的は、高いインダクタンス値及び高いＱ値を得ることができる電子部品を提供することである。
【課題を解決するための手段】
【００１１】
本発明は、長方形状の複数の絶縁体層が積層されて構成されている積層体と、前記積層体に内蔵されているコイルであって、第１のコイル軸を有し、かつ、該第１のコイル軸の周囲を所定方向に旋廻しながら第１の方向に進行している第１のコイルと、前記第１のコイルと接続されていると共に、前記積層体に内蔵されているコイルであって、第２のコイル軸を有し、かつ、該第２のコイル軸の周囲を前記所定方向に旋廻しながら前記第１の方向に対して反対方向である第２の方向に進行している第２のコイルと、を備え、前記第１の方向から平面視したときに、前記第１のコイル軸は、前記第２のコイルの内部に位置し、前記第２の方向から平面視したときに、前記第２のコイル軸は、前記第１のコイルの内部に位置し、前記第１のコイルは、前記絶縁体層上に設けられている複数の第１のコイル電極が第１のビアホール導体により接続されることにより構成されており、前記第２のコイルは、前記絶縁体層上に設けられている複数の第２のコイル電極が第２のビアホール導体により接続されることにより構成されており、前記第１のコイル電極及び前記第２のコイル電極は、互いに異なる前記絶縁体層上に設けられており、前記第１のコイル電極及び前記第２のコイル電極は、前記絶縁体層の２以上の辺に沿う第１の直線部分と、該絶縁体層の角において、該２つの第１の直線部分に対して斜めに交差することにより該第１の直線部分を接続する第２の直線部分を含み、前記第１のコイル電極を接続する前記第１のビアホール導体は、前記第２のコイル電極の前記第２の直線部分と前記絶縁体層の角とに囲まれた領域に設けられており、前記第２のコイル電極を接続する前記第２のビアホール導体は、第１のコイル電極の前記第２の直線部分と前記絶縁体層の角とに囲まれた領域に設けられていること、を特徴とする。
【発明の効果】
【００１２】
本発明によれば、高いインダクタンス値及び高いＱ値を得ることができる。
【図面の簡単な説明】
【００１３】
【図１】本発明の第１の実施形態ないし第５の実施形態に係る電子部品の外観斜視図である。
【図２】第１の実施形態に係る電子部品の分解斜視図である。
【図３】第２の実施形態に係る電子部品の分解斜視図である。
【図４】第３の実施形態に係る電子部品の分解斜視図である。
【図５】第４の実施形態に係る電子部品の分解斜視図である。
【図６】第５の実施形態に係る電子部品の分解斜視図である。
【図７】従来の電子部品の分解斜視図である。
【発明を実施するための形態】
【００１４】
以下に、本発明の実施形態に係る電子部品について説明する。
【００１５】
（第１の実施形態）
（電子部品の構成）
図１は、本発明の第１の実施形態に係る電子部品１０ａの外観斜視図である。図２は、第１の実施形態に係る電子部品１０ａの分解斜視図である。以下、電子部品１０ａの積層方向をｚ軸方向と定義し、電子部品１０ａの長辺に沿った方向をｘ軸方向と定義し、電子部品１０ａの短辺に沿った方向をｙ軸方向と定義する。ｘ軸、ｙ軸及びｚ軸は互いに直交している。
【００１６】
電子部品１０ａは、図１に示すように、積層体１２及び外部電極１４ａ，１４ｂを備えている。積層体１２は、直方体状を有しており、コイルＬ１，Ｌ２を内蔵している。外部電極１４ａは、コイルＬ１の一端に電気的に接続されており、ｚ軸方向の負方向側を向く積層体１２の底面（表面）に形成されている。外部電極１４ｂは、コイルＬ２の一端に電気的に接続されており、ｚ軸方向の負方向側に位置する積層体１２の底面（表面）に形成されている。
【００１７】
積層体１２は、図２に示すように、複数の絶縁体層１６ａ〜１６ｊがｚ軸方向の上からこの順に並ぶように積層されて構成されている。絶縁体層１６ａ〜１６ｊは、強磁性のフェライト（例えば、Ｎｉ−Ｚｎ−Ｃｕフェライト又はＮｉ−Ｚｎフェライト等）からなる長方形状の絶縁体層である。なお、絶縁体層１６ａ〜１６ｊとして、誘電体層を用いてもよい。
【００１８】
コイルＬ１は、図２に示すように、コイル電極１８ａ〜１８ｅ及びビアホール導体ｂ２〜ｂ６により構成されており、ｚ軸と平行であってかつ絶縁体層１６ａ〜１６ｊの中心（対角線の交点）を通過するコイル軸Ｘ１を有する螺旋状のコイルである。コイルＬ１は、ｚ軸方向の正方向側から平面視したときに、コイル軸Ｘ１の周囲を反時計回りに旋廻しながら、ｚ軸方向の負方向側から正方向側へと進行している。
【００１９】
コイル電極１８ａ〜１８ｅはそれぞれ、図２に示すように、絶縁体層１６ｄ〜１６ｉの主面上にＡｇ又はＣｕ等からなる導電性材料により形成されている。各コイル電極１８ａ〜１８ｅは、３／４ターン分の長さを有しており、ｚ軸方向から平面視したときに、互いに重なり合って長方形状の領域を形成している。
【００２０】
ビアホール導体ｂ２〜ｂ６はそれぞれ、絶縁体層１６ｅ〜１６ｉをｚ軸方向に貫通するように設けられている。ビアホール導体ｂ２〜ｂ６はそれぞれ、ｚ軸方向の正方向側から平面視したときに、コイル電極１８ａ〜１８ｅの反時計回りの上流側に位置する端部に接続されるように設けられている。更に、ビアホール導体ｂ２〜ｂ５は、ｚ軸方向の負方向側に位置する絶縁体層１６ｆ〜１６ｉに設けられているコイル電極１８ｂ〜１８ｅの反時計回りの下流側に位置する端部に接続される。以上のような構成を有するコイル電極１８ａ〜１８ｅ及びビアホール導体ｂ２〜ｂ６が接続されることにより、コイルＬ１は、ｚ軸方向の正方向側から平面視したときに、コイル軸Ｘ１の周囲を反時計回りに旋廻しながら、ｚ軸方向の負方向側から正方向側へと進行するようになる。
【００２１】
コイルＬ２は、図２に示すように、コイル電極２０ａ〜２０ｅ及びビアホール導体ｂ１２〜ｂ１６により構成されており、ｚ軸と平行であってかつ絶縁体層１６ａ〜１６ｊの中心（対角線の交点）を通過するコイル軸Ｘ２を有する螺旋状のコイルである。コイルＬ２は、ｚ軸方向の正方向側から平面視したときに、コイル軸Ｘ２の周囲を反時計回りに旋廻しながら、ｚ軸方向の正方向側から負方向側へと進行している。また、コイルＬ２が延在している領域は、ｚ軸方向において、コイルＬ１が延在している領域と重なっている。
【００２２】
コイル電極２０ａ〜２０ｅはそれぞれ、図２に示すように、コイル電極１８ａ〜１８ｅが形成されている絶縁体層１６ｄ〜１６ｉの主面上にＡｇ又はＣｕ等からなる導電性材料により形成されている。各コイル電極２０ａ〜２０ｅは、３／４ターン分の長さを有しており、ｚ軸方向から平面視したときに、コイル電極１８ａ〜１８ｅが形成している長方形状の領域の内側において、互いに重なり合って長方形状の環状の領域内を形成している。これにより、コイルＬ２は、コイルＬ１に内包される。更に、ｚ軸方向から平面視したときに、コイルＬ１のコイル軸Ｘ１は、コイルＬ２の内部に位置し、コイルＬ２のコイル軸Ｘ２は、コイルＬ１の内部に位置するようになる。また、コイル電極１８ａ〜１８ｅとコイル電極２０ａ〜２０ｅは、絶縁体層１６ｄ〜１６ｉの主面上に設けられているので、コイルＬ２が延在している領域は、ｚ軸方向において、コイルＬ１が延在している領域と重なるようになる。
【００２３】
更に、本実施形態では、コイル電極１８ａ〜１８ｅが形成している長方形状の領域の各辺とコイル電極２０ａ〜２０ｅが形成している長方形状の領域の各辺とは、平行であってかつ等間隔に配置されている。したがって、コイル軸Ｘ１の位置とコイル軸Ｘ２の位置とは一致している。
【００２４】
ビアホール導体ｂ１２〜ｂ１６はそれぞれ、絶縁体層１６ｅ〜１６ｊをｚ軸方向に貫通するように設けられている。ビアホール導体ｂ１２〜ｂ１６はそれぞれ、ｚ軸方向の正方向側から平面視したときに、コイル電極２０ａ〜２０ｅの反時計回りの下流側に位置する端部に接続されるように設けられている。更に、ビアホール導体ｂ１２〜ｂ１５は、ｚ軸方向の負方向側に位置する絶縁体層１６ｆ〜１６ｉに設けられているコイル電極２０ｂ〜２０ｅの反時計回りの上流側に位置する端部に接続される。以上のような構成を有するコイル電極２０ａ〜２０ｅ及びビアホール導体ｂ１２〜ｂ１６が接続されることにより、コイルＬ２は、ｚ軸方向の正方向側から平面視したときに、コイル軸Ｘ２の周囲を反時計回りに旋廻しながら、ｚ軸方向の正方向側から負方向側（コイルＬ１の進行方向の反対方向）へと進行するようになる。
【００２５】
また、コイルＬ１とコイルＬ２とは、絶縁体層１６ｄ上に設けられている接続電極２２及びビアホール導体ｂ１，ｂ１１により接続されている。具体的には、ビアホール導体ｂ１，ｂ１１は、接続電極２２の両端に接続されるように設けられている。更に、ビアホール導体ｂ１，ｂ１１はそれぞれ、コイル電極１８ａ，２０ａに接続される。これにより、ｚ軸方向の正方向側に位置するコイルＬ１の端部と、ｚ軸方向の正方向側に位置するコイルＬ２の端部とが接続されるようになる。
【００２６】
また、外部電極１４ａ，１４ｂは、絶縁体層１６ｊのｚ軸方向の負方向側の面に設けられている。更に、ビアホール導体ｂ７，ｂ１７がそれぞれ、絶縁体層１６ｊをｚ軸方向に貫通するように設けられており、外部電極１４ａ，１４ｂに接続されている。該ビアホール導体ｂ７，ｂ１７はそれぞれ、絶縁体層１６ｉ，１６ｊが積層されたときに、ビアホール導体ｂ６，ｂ１６に接続される。これにより、ｚ軸方向の負方向側に位置するコイルＬ１の端部は、外部電極１４ａに接続され、ｚ軸方向の負方向側に位置するコイルＬ２の端部は、外部電極１４ｂに接続されるようになる。
【００２７】
（効果）
以上のように構成された電子部品１０ａは、以下に説明するように、高いインダクタンス値を得ることができると共に、高いＱ値を得ることができる。より詳細には、図２に示すように、コイルＬ１は、ｚ軸方向の正方向側から平面視したときに、コイル軸Ｘ１の周囲を反時計回りに旋廻しながら、ｚ軸方向の負方向側から正方向側へと進行し、かつ、コイルＬ２は、ｚ軸方向の正方向側から平面視したときに、コイル軸Ｘ２の周囲を反時計回りに旋廻しながら、ｚ軸方向の正方向側から負方向側へと進行している。そのため、外部電極１４ａと外部電極１４ｂとの間に電流が流れた場合には、ｚ軸方向の正方向側から平面視したときに、コイルＬ１を流れる電流が旋廻する方向とコイルＬ２を流れる電流が旋廻する方向とが一致する。例えば、外部電極１４ａから外部電極１４ｂへと電流が流れた場合には、ｚ軸方向の正方向側から平面視したときに、コイル電極１８ａ〜１８ｅ，２０ａ〜２０ｅでは反時計回りに電流が流れる。この場合、コイルＬ１の内部において、ｚ軸方向の負方向側から正方向側へと磁束が発生する。同様に、コイルＬ２の内部においても、ｚ軸方向の負方向側から正方向側へと磁束が発生する。これにより、コイルＬ１が発生した磁束及びコイルＬ２が発生した磁束が、コイルＬ１及びコイルＬ２のそれぞれの内部を通過するようになる。その結果、本実施形態のコイルＬ１は、コイルＬ１が発生した磁束のみがコイルＬ１の内部を通過している場合に比べて、大きなインダクタンス値を得ることができる。同様に、本実施形態のコイルＬ２は、コイルＬ２が発生した磁束のみがコイルＬ２の内部を通過している場合に比べて、大きなインダクタンス値を得ることができる。その結果、電子部品１０ａにおいて、高いインダクタンス値を得ることができると共に、高いＱ値を得ることができる。
【００２８】
また、電子部品１０ａは、以下に説明するように、高いＱ値を得ることができる。より詳細には、電子部品５００では、図７に示すように、ｚ軸方向から平面視したときに、コイルＬ５０１及びコイルＬ５０２が重ならないで並ぶように設けられている。そのため、電子部品５００では、コイルＬ５０１，Ｌ５０２の内径を大型化することが困難であり、コイルＬ５０１，Ｌ５０２の内部を通過する磁束の数を増加することが困難となっていた。その結果、コイルＬ５０１，Ｌ５０２においては、高いＱ値を得ることは困難であった。
【００２９】
一方、電子部品１０ａでは、コイルＬ１のコイル軸Ｘ１は、コイルＬ２の内部に位置し、コイルＬ２のコイル軸Ｘ２は、コイルＬ１の内部に位置している。故に、ｚ軸方向から平面視したときに、コイルＬ１とコイルＬ２とが重なっている。これにより、コイル電極１８ａ〜１８ｅ，２０ａ〜２０ｅの内径を、電子部品５００のコイル電極５０８ａ〜５０８ｅ，５１０ａ〜５１０ｅの内径よりも大きくできるので、コイルＬ１，Ｌ２の内部を通過する磁束の数を、コイルＬ５０１，Ｌ５０２の内部を通過する磁束の数よりも多くできる。その結果、コイルＬ１，Ｌ２では、コイルＬ５０１，Ｌ５０２よりも高いインダクタンス値を得ることができると共に、高いＱ値を得ることができる。
【００３０】
また、電子部品１０ａでは、ｚ軸方向の負方向側に位置する積層体１２の底面に外部電極１４ａ，１４ｂが設けられている。そのため、電子部品１０ａでは、端子電極が積層体の側面に設けられた特許文献１に記載の積層型コイル部品に比べて、外部電極１４ａ，１４ｂとコイルＬ１，Ｌ２との間に発生する浮遊容量が小さくなる。その結果、電子部品１０ａのＱ値が向上する。
【００３１】
また、電子部品１０ａでは、コイル軸Ｘ１とコイル軸Ｘ２とが重なっているので、コイルＬ１内を通過する磁束の分布と、コイルＬ２内を通過する磁束の分布とを同じ分布に近づけることができる。その結果、コイルＬ１が発生した磁束とコイルＬ２が発生した磁束とが打ち消しあうことが低減され、電子部品１０ａにおいて高いインダクタンス値を得ることが可能となると共に、高いＱ値を得ることが可能となる。
【００３２】
また、電子部品１０ａでは、コイル電極１８ａ〜１８ｅとコイル電極２０ａ〜２０ｅとは、同じ絶縁体層１６ｅ〜１６ｉ上に設けられている。そのため、電子部品１０ａでは、コイル電極１８ａ〜１８ｅとコイル電極２０ａ〜２０ｅとが別々の絶縁体層１６上に設けられた場合に比べて、絶縁体層１６の数が少なくなる。その結果、電子部品１０ａの小型化が図られる。
【００３３】
（電子部品の製造方法）
以下に、電子部品１０ａの製造方法について図１及び図２を参照しながら説明する。
【００３４】
まず、絶縁体層１６ａ〜１６ｊとなるセラミックグリーンシートを準備する。絶縁体層１６ｄ〜１６ｊとなるセラミックグリーンシートのそれぞれに、ビアホール導体ｂ１〜ｂ７，ｂ１１〜ｂ１７を形成する。具体的には、図２に示すように、絶縁体層１６ｄ〜１６ｊとなるセラミックグリーンシートにレーザビームを照射してビアホールを形成する。次に、このビアホールに対して、Ａｇ，Ｐｄ，Ｃｕ，Ａｕやこれらの合金などの導電性ペーストを印刷塗布などの方法により充填する。
【００３５】
次に、絶縁体層１６ｅ〜１６ｉとなるセラミックグリーンシート上に、Ａｇ，Ｐｄ，Ｃｕ，Ａｕやこれらの合金などを主成分とする導電性ペーストをスクリーン印刷法やフォトリソグラフィ法などの方法で塗布することにより、コイル電極１８ａ〜１８ｅ，２０ａ〜２０ｅを形成する。なお、コイル電極１８ａ〜１８ｅ，２０ａ〜２０ｅを形成する工程とビアホールに対して導電性ペーストを充填する工程とは、同じ工程において行われてもよい。
【００３６】
次に、絶縁体層１６ｄとなるセラミックグリーンシート上に、Ａｇ，Ｐｄ，Ｃｕ，Ａｕやこれらの合金などを主成分とする導電性ペーストをスクリーン印刷法やフォトリソグラフィ法などの方法で塗布することにより、接続電極２２を形成する。なお、接続電極２２を形成する工程とビアホールに対して導電性ペーストを充填する工程とは、同じ工程において行われてもよい。
【００３７】
次に、絶縁体層１６ｊとなるセラミックグリーンシート上に、Ａｇ，Ｐｄ，Ｃｕ，Ａｕやこれらの合金などを主成分とする導電性ペーストをスクリーン印刷法やフォトリソグラフィ法などの方法で塗布することにより、外部電極１４ａ，１４ｂとなる銀電極を形成する。なお、外部電極１４ａ，１４ｂとなる銀電極を形成する工程とビアホールに対して導電性ペーストを充填する工程とは、同じ工程において行われてもよい。
【００３８】
次に、図２に示すように、絶縁体層１６ａ〜１６ｊとなるセラミックグリーンシートを積層する。より詳細には、外部電極１４ａ，１４ｂとなる銀電極が形成された面がｚ軸方向の負方向側に位置するように、絶縁体層１６ｊとなるセラミックグリーンシートを配置する。次に、絶縁体層１６ｊとなるセラミックグリーンシート上に、絶縁体層１６ｉとなるセラミックグリーンシートの配置及び仮圧着を行う。この後、絶縁体層１６ｈ，１６ｇ，１６ｆ，１６ｅ，１６ｄ，１６ｃ，１６ｂ，１６ａとなるセラミックグリーンシートについても同様にこの順番に積層及び仮圧着して、マザー積層体を得る。更に、マザー積層体には、静水圧プレスなどにより本圧着が施される。
【００３９】
次に、マザー積層体に分割溝を形成する。この未焼成のマザー積層体には、脱バインダー処理及び焼成がなされる。脱バインダー処理は、例えば、低酸素雰囲気中において５００℃で２時間の条件で行う。焼成は、例えば、８９０℃で２時間の条件で行う。この後、分割溝に沿ってマザー積層体を分割することにより、積層体１２を得ることができる。
【００４０】
以上の工程により、焼成された積層体１２が得られる。積層体１２には、バレル加工が施されて、面取りが行われる。最後に、外部電極１４ａ，１４ｂとなる銀電極の表面に、Ｎｉめっき／Ｓｎめっきを施す。以上の工程を経て、図１に示すような電子部品１０ａが完成する。
【００４１】
なお、本実施形態に係る電子部品１０ａは、逐次圧着法により作製したが、該電子部品１０ａの作製方法はこれに限らない。電子部品１０ａは、例えば、薄膜工法により作製されてもよい。この場合、絶縁体層１６として、樹脂からなる誘電体層が用いられる。
【００４２】
（第２の実施形態）
以下に、第２の実施形態に係る電子部品１０ｂについて図面を参照しながら説明する。図３は、第２の実施形態に係る電子部品１０ｂの分解斜視図である。以下、電子部品１０ｂの積層方向をｚ軸方向と定義し、電子部品１０ｂの長辺に沿った方向をｘ軸方向と定義し、電子部品１０ｂの短辺に沿った方向をｙ軸方向と定義する。ｘ軸、ｙ軸及びｚ軸は互いに直交している。なお、電子部品１０ｂの外観斜視図については、図１を援用する。
【００４３】
電子部品１０ｂに示すように、接続電極２２は、コイル軸Ｘ１，Ｘ２の周囲を周回していてもよい。このように接続電極２２がコイル軸Ｘ１，Ｘ２が周回することにより、電子部品１０ｂでは、接続電極２２が周回していない電子部品１０ａよりも高いインダクタンス値及び高いＱ値を得ることが可能となる。なお、電子部品１０ｂのその他の構成については、電子部品１０ａと同じであるので説明を省略する。
【００４４】
（第３の実施形態）
以下に、第３の実施形態に係る電子部品１０ｃについて図面を参照しながら説明する。図４は、第３の実施形態に係る電子部品１０ｃの分解斜視図である。以下、電子部品１０ｃの積層方向をｚ軸方向と定義し、電子部品１０ｃの長辺に沿った方向をｘ軸方向と定義し、電子部品１０ｃの短辺に沿った方向をｙ軸方向と定義する。ｘ軸、ｙ軸及びｚ軸は互いに直交している。なお、電子部品１０ｃの外観斜視図については、図１を援用する。
【００４５】
電子部品１０ｃに示すように、コイルＬ２を構成するコイル電極２０ａ〜２０ｅはそれぞれ、複数ターン分の長さを有していてもよい。これにより、電子部品１０ａのようにコイル電極２０ａ〜２０ｅが３／４ターン分の長さを有している場合に比べて、電子部品１０ｃの各コイル電極２０ａ〜２０ｅにおいて発生する磁束の数が増加し、電子部品１０ｃのコイルＬ１，Ｌ２の内部を通過する磁束の数が増加する。その結果、電子部品１０ｃでは、電子部品１０ａよりも高いインダクタンス値及び高いＱ値を得ることができる。
【００４６】
（第４の実施形態）
以下に、第４の実施形態に係る電子部品１０ｄについて図面を参照しながら説明する。図５は、第４の実施形態に係る電子部品１０ｄの分解斜視図である。以下、電子部品１０ｄの積層方向をｚ軸方向と定義し、電子部品１０ｄの長辺に沿った方向をｘ軸方向と定義し、電子部品１０ｄの短辺に沿った方向をｙ軸方向と定義する。ｘ軸、ｙ軸及びｚ軸は互いに直交している。なお、電子部品１０ｄの外観斜視図については、図１を援用する。
【００４７】
電子部品１０ｄに示すように、コイルＬ２を構成するコイル電極２０ａ〜２０ｅに加えて、コイルＬ１を構成するコイル電極１８ａ〜１８ｅも、複数ターン分の長さを有していてもよい。これにより、電子部品１０ｄでは、電子部品１０ｃよりも更に高いインダクタンス値及び高いＱ値を得ることができる。
【００４８】
（第５の実施形態）
図６は、第５の実施形態に係る電子部品１０ｅの分解斜視図である。以下、電子部品１０ｅの積層方向をｚ軸方向と定義し、電子部品１０ｅの長辺に沿った方向をｘ軸方向と定義し、電子部品１０ｅの短辺に沿った方向をｙ軸方向と定義する。ｘ軸、ｙ軸及びｚ軸は互いに直交している。なお、電子部品１０ｅの外観斜視図については、図１を援用する。
【００４９】
電子部品１０ａ〜１０ｄでは、コイル電極１８ａ〜１８ｅは、コイル電極２０ａ〜２０ｅが設けられている絶縁体層１６ｅ〜１６ｉ上に設けられていた。しかしながら、コイル電極の配置の方法はこれに限らない。
【００５０】
そこで、電子部品１０ｅでは、コイル電極１１８ａ〜１１８ｃは、コイル電極１２０ａ〜１２０ｃが設けられている絶縁体層１６ｆ，１６ｈ，１６ｊとは異なる絶縁体層１６ｅ，１６ｇ，１６ｉに設けられている。また、コイル電極１１８ａ〜１１８ｃとコイル電極１２０ａ〜１２０ｃとは、同じ内径を有しているので、ｚ軸方向から平面視したときに、ｚ軸方向に互いに対向して重なっている。
【００５１】
また、コイル電極１１８ａ〜１１８ｃは、ビアホール導体ｂ２２〜ｂ２７により接続されてコイルＬ１を構成している。コイル電極１２０ａ〜１２０ｃは、ビアホール導体ｂ３３〜ｂ３７により接続されてコイルＬ２を構成している。
【００５２】
また、コイルＬ１とコイルＬ２とは、接続電極２２及びビアホール導体ｂ２１，ｂ３１，ｂ３２により接続されている。更に、コイルＬ１，Ｌ２はそれぞれ、ビアホール導体ｂ２８，ｂ３８により外部電極１４ａ，１４ｂに接続されている。以上のような構成により、図６に示す電子部品１０ｅは、図２に示す電子部品１０ａと同様に、外部電極１４ａ，１４ｂの間にコイルＬ１，Ｌ２が直列接続された回路構成を有するようになる。
【００５３】
電子部品１０ｅによれば、コイル電極１１８ａ〜１１８ｃが、コイル電極１２０ａ〜１２０ｃが設けられている絶縁体層１６ｆ，１６ｈ，１６ｊとは異なる絶縁体層１６ｅ，１６ｇ，１６ｉとに設けられている。よって、コイル電極１１８ａ〜１１８ｃとコイル電極１２０ａ〜１２０ｃとが交差することがなくなるので、図６に示すように、コイルＬ２の内径の大きさをコイルＬ１の内径の大きさと同じにすることができる。その結果、電子部品１０ｅでは、コイルＬ２内を通過する磁束の数を増加させることができるので、電子部品１０ｅにおいて高いインダクタンス値及び高いＱ値を得ることができるようになる。
【００５４】
（その他の実施形態）
本発明の実施形態に係る電子部品は、電子部品１０ａ〜１０ｅに示したものに限らない。したがって、該電子部品は、その要旨の範囲内において変更可能である。
【００５５】
電子部品１０ａ〜１０ｅでは、コイル電極１８，２０，１１８，１２０は、全て同じ線幅を有しているが、これらは異なる線幅を有していてもよい。例えば、コイル電極１８の線幅とコイル電極２０の線幅とを異ならせてもよいし、ｚ軸方向の負方向側から正方向側にいくにしたがって、コイル電極１８，２０の線幅が太くなっていく又は細くなっていくようにしてもよい。また、線幅の太いコイル電極１８，２０と線幅の細いコイル電極１８，２０とがｚ軸方向に交互に並ぶようにしてもよい。なお、コイル電極１１８，１２０の線幅に関しても、コイル電極１８，２０と同様に変化させることができる。
【００５６】
また、電子部品１０ａ〜１０ｅでは、コイル電極１８，２０，１１８，１２０は、ｚ軸方向において等間隔に配置されているが、等間隔に配置されていなくてもよい。
【００５７】
また、電子部品１０ａ〜１０ｄにおいて、全てのコイル電極１８は、コイル電極２０が設けられている絶縁体層１６に設けられている。しかしながら、コイル電極１８の少なくとも一部が、コイル電極２０が設けられている絶縁体層１６に設けられていればよい。
【００５８】
また、電子部品１０ｅにおいて、全てのコイル電極１１８は、コイル電極１２０が設けられている絶縁体層１６とは異なる絶縁体層１６に設けられている。しかしながら、コイル電極１１８の少なくとも一部が、コイル電極１２０が設けられている絶縁体層１６に設けられていればよい。
【００５９】
なお、コイル電極１８，２０，１１８，１２０のターン数は、３／４ターン以外であってもよい。また、コイル電極１８，２０，１１８，１２０の旋廻方向も、説明した方向と逆方向であってもよい。
【産業上の利用可能性】
【００６０】
本発明は、電子部品に有用であり、特に、高いインダクタンス値及び高いＱ値を得ることができる点において優れている。
【符号の説明】
【００６１】
Ｌ１，Ｌ２  コイル
Ｘ１，Ｘ２  コイル軸
ｂ１〜ｂ７，ｂ１１〜ｂ１７，ｂ２１〜ｂ２８，ｂ３１〜ｂ３８  ビアホール導体
１０ａ〜１０ｅ  電子部品
１２  積層体
１４ａ，１４ｂ  外部電極
１６ａ〜１６ｋ  絶縁体層
１８ａ〜１８ｅ，２０ａ〜２０ｅ，１１８ａ〜１１８ｃ，１２０ａ〜１２０ｃ  コイル電極
【図１】
0005510565.tif 000002
【図２】
0005510565.tif 000003
【図３】
0005510565.tif 000004
【図４】
0005510565.tif 000005
【図５】
0005510565.tif 000006
【図６】
0005510565.tif 000007
【図７】
0005510565.tif 000008